(57)【特許請求の範囲】
【請求項１】
被計量物の重量を計量する計量部と、
第１基準重量値および前記第１基準重量値とは異なる第２基準重量値を設定する設定部と、
所定の演算値を記憶する記憶部と、
前記計量部で計量された計量値を報知する報知部と、
作業者により操作される操作部と、
を備え、
前記計量値が前記報知部により報知されている状態で、前記作業者が、前記操作部により所定の第１操作を行った場合、前記計量値を前記第１基準重量値として設定するとともに、前記第１基準重量値と前記所定の演算値とに基づいて前記第２基準重量値を自動的に設定する、
計量装置。
【請求項２】
前記計量値が前記報知部により報知されている状態で、前記作業者が、前記所定の第１操作を行う前に、前記操作部により所定の第２操作を行った場合、前記所定の第２操作に基づいて前記計量値を変更するとともに、前記作業者が、前記所定の第２操作の後に、前記所定の第１操作を行った場合、変更された前記計量値を前記第１基準重量値として設定する、
請求項１に記載の計量装置。
【請求項３】
前記所定の演算値は、前記第１基準重量値を所定の割合だけ増加又は減少させるための値である、
請求項１又は請求項２に記載の計量装置。
【請求項４】
前記所定の演算値は、前記第１基準重量値に所定の値を加算又は減算するための値である、
請求項１又は請求項２に記載の計量装置。
【請求項５】
前記第１基準重量値は、前記第２基準重量値よりも小さい値になるように設定される、
請求項１〜４のいずれか一項に記載の計量装置。
【発明の詳細な説明】
【技術分野】
【０００１】
本発明は、被計量物の重量を計量する計量装置に関し、特に、当該被計量物の許容重量範囲を設定する機能を備えた計量装置に関する。
【背景技術】
【０００２】
後掲の特許文献１は、上記計量装置の一例を開示している。特許文献１に記載の電子秤の重量設定装置は、被計量物の実際の重量を算出する実重量演算手段と、修正重量を算出する修正重量演算手段と、設定キーとを備える。設定キーは、ｕｐキーおよびｄｏｗｎキーと、各種設定キーとを有する。
【０００３】
この電子秤の重量設定装置では、ｕｐキーおよびｄｏｗｎキーの操作により出力される信号（加減情報）に基づいて、被計量物の実重量を修正するとともに、設定キー（例えば、上限キー）の操作により出力される信号に基づいて、修正重量を設定重量（例えば、上限重量）として記憶する。
【先行技術文献】
【特許文献】
【０００４】
【特許文献１】特開平５−３４０７９５号公報
【発明の概要】
【発明が解決しようとする課題】
【０００５】
上記電子秤の重量設定装置においては、被計量物の上限重量（許容重量）や下限重量（許容重量）を設定する場合、当該上限重量値および下限重量値をそれぞれ個別に設定しなければならないため、被計量物の許容重量範囲を設定するための操作が煩雑になる。
【０００６】
本発明は、上記課題を解決するため、被計量物の許容重量範囲を容易に設定することが可能な計量装置を提供することを目的とする。
【課題を解決するための手段】
【０００７】
上記目的を達成するために、本発明の一態様に係る計量装置は、被計量物の重量を計量する計量部と、第１基準重量値および前記第１基準重量値とは異なる第２基準重量値を設定する設定部と、所定の演算値を記憶する記憶部と、前記計量部で計量された計量値を報知する報知部と、作業者により操作される操作部と、を備え、前記計量値が前記報知部により報知されている状態で、前記作業者が、前記操作部により所定の第１操作を行った場合、前記計量値を前記第１基準重量値として設定するとともに、前記第１基準重量値と前記所定の演算値とに基づいて前記第２基準重量値を自動的に設定する。
【０００８】
本発明によると、被計量物の許容重量範囲を容易に設定することができる。
【図面の簡単な説明】
【０００９】
【図１】本発明の第一実施形態に係る計量装置の全体的な構成を示した斜視図。
【図２】同じく、側面断面模式図。
【図３】同じく、制御に関する構成を示したブロック図。
【図４】設定モードが有する項目及び設定値を示したブロック図。
【図５】上下限値簡単設定の手順を示したフローチャート。
【図６】第二実施形態に係る計量装置の上下限値簡単設定の手順を示したフローチャート。
【発明を実施するための形態】
【００１０】
以下では、図中に示した矢印に従って、前後方向、上下方向及び左右方向をそれぞれ定義する。
【００１１】
まず、図１及び図２を用いて、第一実施形態に係る計量装置１の構成の概略を説明する。
【００１２】
計量装置１は、被計量物の重量を計量するものである。ここで、被計量物とは、計量装置１によって計量される種々の物を意味する。計量装置１は、主として本体部１０及び計量皿２０を具備する。
【００１３】
本体部１０は、計量装置１の主たる構造体となるものである。本体部１０は、主として筐体１１、乾電池１２、ロードセル１３、操作キー群１４、液晶表示部１５、ＬＥＤ表示部１６及び制御基板１７を具備する。
【００１４】
筐体１１は、略箱状に形成される部材である。筐体１１の前面は、後上方から前下方に向けて傾斜するように形成される。
【００１５】
乾電池１２は、計量装置１の電力源となるものである。乾電池１２は、筐体１１内の前部に配置される。
【００１６】
ロードセル１３は、荷重を検出するセンサである。ロードセル１３は、筐体１１内の前後中途部から後部に亘って配置される。ロードセル１３は、荷重が加わることによって生じるひずみを検出することで、当該荷重を検出することができる。
【００１７】
操作キー群１４は、計量装置１に関する操作を行うためのものである。操作キー群１４は、筐体１１の前面の左端部近傍に配置される。操作キー群１４は、主として第一操作キー１４ａ、第二操作キー１４ｂ、第三操作キー１４ｃ及び第四操作キー１４ｄを具備する。なお、本実施形態に係る操作キー群１４は、本発明に係る操作部の実施の一形態である。
【００１８】
第一操作キー１４ａは、主として計量装置１の電源を入り切りする際に使用される。第一操作キー１４ａが押し込み操作されると、計量装置１の電源が入る。また計量装置１の電源が入れられた状態で、第一操作キー１４ａが所定時間の間押し込み操作され続ける（長押しされる）と、当該計量装置１の電源が切れる。
【００１９】
第二操作キー１４ｂは、主として液晶表示部１５の表示を切り替える際に使用される。具体的には、計量皿２０に何も載置されていない状態で第二操作キー１４ｂが押し込み操作される度に、液晶表示部１５に表示される情報（例えば、各種の設定値等）が所定の順番で切り替えられる。
また、第二操作キー１４ｂは、後述する「設定モード」において、液晶表示部１５に表示される項目を切り替える際に使用される。
【００２０】
第三操作キー１４ｃは、主として風袋引きを行う際に使用される。第三操作キー１４ｃを用いて風袋引きが行われる様子については、後述する。
また、第三操作キー１４ｃは、後述する「設定モード」において、液晶表示部１５に表示される設定値を増加させる際に使用される。
【００２１】
第四操作キー１４ｄは、主として零点リセットを行う際に使用される。第四操作キー１４ｄを用いて零点リセットが行われる様子については、後述する。
また、第四操作キー１４ｄは、後述する「設定モード」において、後述する液晶表示部１５に表示される設定値を減少させる際に使用される。
【００２２】
液晶表示部１５は、計量装置１に関する各種の情報を表示するものである。液晶表示部１５は、筐体１１の前面の左右略中央部に配置される。なお、本実施形態に係る液晶表示部１５は、本発明に係る報知部の一実施形態である。また、本発明に係る報知部は、液晶表示部１５に限定されるものではなく、例えば、計量値を案内するスピーカーなどでもよい。
【００２３】
ＬＥＤ表示部１６は、被計量物の重量が予め設定された範囲に含まれているか否かを表示するものである。ＬＥＤ表示部１６は、筐体１１の前面の左右略中央部、かつ液晶表示部１５の前下方に配置される。ＬＥＤ表示部１６は、赤色、青色又は黄色に点灯することが可能である。
【００２４】
制御基板１７は、計量装置１に関する各種の演算や記憶等の制御を行うためのものである。制御基板１７には、後述する記憶部３３ａや演算部３３ｂ等が配置される。制御基板１７は、筐体１１内の前部（当該筐体１１の前面のすぐ背後）に配置される。
【００２５】
計量皿２０は、略矩形板状の部材である。計量皿２０は広い上面を有し、当該上面に載置された被計量物を保持することができる。計量皿２０は本体部１０の上方に配置される。計量皿２０の下面略中央部は、ロードセル１３に固定されて支持される。これによって、計量皿２０に載置される被計量物の荷重が、ロードセル１３に加えられることになる。
【００２６】
次に、図３を用いて、計量装置１の制御に関する構成について説明する。
【００２７】
計量装置１は、制御に関する構成として、制御部３３、ロードセル１３、増幅回路３１、Ａ／Ｄコンバータ３２、操作キー群１４、液晶表示部１５及びＬＥＤ表示部１６を具備する。
【００２８】
制御部３３は、計量装置１に関する制御を行うものである。制御部３３は、主として記憶部３３ａ及び演算部３３ｂを具備する。
【００２９】
記憶部３３ａは、種々の情報を記憶するものである。記憶部３３ａは、ＲＡＭ及びＲＯＭ等により構成される。記憶部３３ａには、計量装置１の制御に関するプログラム等が予め記憶されている。また、記憶部３３ａには、計量装置１の制御に関する新たな情報を記憶することができる。
【００３０】
演算部３３ｂは、種々の演算を行うものである。演算部３３ｂは、ＣＰＵ等により構成される。演算部３３ｂは、記憶部３３ａに記憶されているプログラムを実行することにより、計量装置１の制御を行う。
【００３１】
増幅回路３１は、ロードセル１３から受信したアナログ信号を増幅するものである。増幅回路３１は、増幅したアナログ信号を、後述するＡ／Ｄコンバータ３２に送信する。
【００３２】
Ａ／Ｄコンバータ３２は、増幅回路３１から受信したアナログ信号をデジタル信号へと変換するものである。Ａ／Ｄコンバータ３２は、変換されたデジタル信号を、制御部３３（演算部３３ｂ）に送信する。
【００３３】
また、操作キー群１４からの操作信号は、制御部３３（演算部３３ｂ）に送信される。制御部３３は、当該操作信号に基づいて計量装置１の制御を行う。
【００３４】
また、制御部３３（演算部３３ｂ）は、液晶表示部１５に表示信号を送信することにより、当該液晶表示部１５に所定の情報を表示させることができる。
【００３５】
また、制御部３３（演算部３３ｂ）は、ＬＥＤ表示部１６に表示信号を送信することにより、当該ＬＥＤ表示部１６を赤色、青色又は黄色に点灯させることができる。
【００３６】
なお、本実施形態に係る制御部３３は、本発明に係る計量部、設定部の一実施形態である。また、本実施形態に係る記憶部３３ａは、本発明に係る記憶部の一実施形態である。
【００３７】
次に、上述の如く構成された計量装置１が有する「計量モード」及び「設定モード」について説明する。
【００３８】
計量装置１が有する「計量モード」とは、単に被計量物の重量を計量したり、所定の機能を実行して被計量物の重量を計量したりするためのモードである。
【００３９】
まず、「計量モード」において、被計量物の重量が計量される様子について説明する。
【００４０】
計量皿２０に被計量物が載置されると、当該計量皿２０に加わる荷重がロードセル１３によって検出される。ロードセル１３からのアナログ信号は、増幅回路３１において増幅された後、Ａ／Ｄコンバータ３２においてデジタル信号へと変換される。当該変換されたデジタル信号は、制御部３３の演算部３３ｂに送信される。
【００４１】
演算部３３ｂは、記憶部３３ａに記憶されたプログラムに従って、受信したデジタル信号からロードセル１３に加えられた荷重（ひいては、計量皿２０に載置された被計量物の重量）を算出する。演算部３３ｂは、算出された被計量物の重量を液晶表示部１５に表示させる。作業者は、液晶表示部１５の表示を見ることで、被計量物の重量を確認することができる。
【００４２】
次に、「計量モード」において、第三操作キー１４ｃを用いて風袋引きが行われる様子について説明する。
【００４３】
被計量物の容器（風袋）が計量皿２０に載置された状態で第三操作キー１４ｃが押し込み操作されると、制御部３３は、当該状態で液晶表示部１５に表示される重量（前記容器の重量）が０になるように、重量の算出結果を調整する。この状態で容器に入れられた被計量物を当該容器ごと計量すると、当該容器の重量が差し引かれた被計量物だけの重量が液晶表示部１５に表示される。これによって、容器に入れられた被計量物の正味の重量を容易に計量することができる。
【００４４】
次に、「計量モード」において、第四操作キー１４ｄを用いて零点リセットが行われる様子について説明する。
【００４５】
第四操作キー１４ｄが押し込み操作されると、制御部３３は、当該状態で液晶表示部１５に表示される被計量物の重量が０になるように、重量の算出結果を調整する。従って、被計量物が計量皿２０に載置されていない状態で第四操作キー１４ｄを押し込み操作することによって、零点（被計量物が計量皿２０に載置されていない状態での液晶表示部１５の表示）のずれを修正することができ、正確な計量を行うことができるようになる。
【００４６】
また、「計量モード」においては、所定の機能（「チェッカ機能」、「ランク選別機能」等）を実行して被計量物の重量を計量することができる。当該機能の内容については後述する。
【００４７】
計量装置１が有する「設定モード」とは、計量装置１を所定の機能が実行できる状態に変更したり、各種の設定を変更したりするためのモードである。
【００４８】
操作キー群１４を用いて所定の操作が行われる（例えば、第三操作キー１４ｃと第四操作キー１４ｄが同時に押し込み操作される）と、制御部３３は、計量装置１の状態を「計量モード」から「設定モード」に切り替える。
【００４９】
図４に示すように、「設定モード」では、主に「機能の選択」（項目０１）、「下限値通常設定」（項目０２）、「上限値通常設定」（項目０３）、「上下限値簡単設定方法変更」（項目０４）、「上下限値簡単設定の割合変更」（項目０５）及び「上下限値簡単設定の目量数変更」（項目０６）等を選択して実行することができる。なお、上記項目０１から項目０６までは一例として示したものであり、「設定モード」はその他の項目も有しているものとする。以下では、図３及び図４を用いて、「設定モード」における各項目（項目０１から項目０６まで）の選択方法を説明した後に、各項目（項目０１から項目０６まで）の詳細についてそれぞれ説明する。
【００５０】
制御部３３は、「設定モード」に切り替えられると、まず項目０１を示す表示（例えば、「０１」という数字）を液晶表示部１５の左側部分に表示させる。この状態で作業者が第二操作キー１４ｂを押し込み操作すると、制御部３３は次の項目（すなわち、項目０２）を示す表示（例えば、「０２」という数字）を液晶表示部１５に表示させる。
【００５１】
同様に、作業者が第二操作キー１４ｂを押し込み操作する度に、制御部３３は項目０３を示す表示（例えば、「０３」という数字）、項目０４を示す表示（例えば、「０４」という数字）、項目０５を示す表示（例えば、「０５」という数字）及び項目０６を示す表示（例えば、「０６」という数字）を順に液晶表示部１５に表示させる。
【００５２】
計量装置１が有する最後の項目を示す表示が液晶表示部１５に表示されている状態で、さらに第二操作キー１４ｂが押し込み操作された場合、制御部３３は再び項目０１を示す表示を液晶表示部１５に表示させる。
【００５３】
このように、作業者は、第二操作キー１４ｂを繰り返し押し込み操作することで、各項目の中から所望の項目を選択して液晶表示部１５の左側部分に表示させることができる。
【００５４】
また、各項目を示す表示が液晶表示部１５の左側部分に表示された状態においては、当該項目に関する設定値が液晶表示部１５の右側部分に表示される。ここで、当該設定値とは、各項目の設定内容を示す値である。各項目における設定値の詳細については後述する。
【００５５】
作業者が第三操作キー１４ｃを押し込み操作すると、制御部３３は液晶表示部１５に表示された設定値を増加させる。また、作業者が第四操作キー１４ｄを押し込み操作すると、制御部３３は液晶表示部１５に表示された設定値を減少させる。このように、作業者は第三操作キー１４ｃ又は第四操作キー１４ｄを繰り返し押し込み操作することで、設定値を所望の値に変更することができる。
【００５６】
このようにして、作業者は所望の項目を選択し、当該項目の設定値を所望の値に変更することができる。また、設定値を変更した後で、操作キー群１４を用いて所定の決定操作が行われる（例えば、第一操作キー１４ａが１回押し込み操作される）と、制御部３３は、当該項目の設定値を記憶する。またこの際、制御部３３は、当該設定値に所定の機能が割り当てられている場合には、計量装置１を当該機能が実行できる状態に変更する。その後、制御部３３は、計量装置１の状態を「設定モード」から「計量モード」に切り替える。
【００５７】
次に、各項目（項目０１から項目０６まで）の詳細についてそれぞれ説明する。
【００５８】
「機能の選択」（項目０１）は、計量装置１が有する機能を選択し、当該機能を実行可能な状態とするための項目である。項目０１の設定値には、計量装置１が有する機能がそれぞれ割り当てられている。具体的には、設定値００１には「チェッカ機能」、設定値００２には「ランク選別機能」がそれぞれ割り当てられている。なお、上記設定値００１及び設定値００２は一例として示したものであり、その他の設定値にはその他の機能が割り当てられているものとする。
【００５９】
「チェッカ機能」（設定値００１）は、被計量物の重量が、予め設定された範囲に含まれるか否か（具体的には、下限値ＬＬと上限値ＵＬとの間の値であるか否か）を、ＬＥＤ表示部１６に表示させる機能である。
【００６０】
具体的には、「計量モード」において、「チェッカ機能」が実行された状態で計量皿２０に被計量物が載置されると、制御部３３は当該被計量物の重量を算出する。制御部３３は、被計量物の重量が下限値ＬＬ未満である場合、ＬＥＤ表示部１６を赤色に点灯させる。制御部３３は、被計量物の重量が上限値ＵＬよりも大きい場合、ＬＥＤ表示部１６を黄色に点灯させる。制御部３３は、被計量物の重量が下限値ＬＬ以上かつ上限値ＵＬ以下である場合、ＬＥＤ表示部１６を青色に点灯させる。作業者は、当該ＬＥＤ表示部１６の色を確認することで、被計量物の重量が軽量（下限値ＬＬ未満）であるか、過量（上限値ＵＬより大きい）であるか、適量（下限値ＬＬ以上かつ上限値ＵＬ以下）であるか、を容易に判別することができる。
【００６１】
ここで、下限値ＬＬ及び上限値ＵＬは、作業者が予め設定することができる。当該下限値ＬＬ及び上限値ＵＬの設定方法の詳細については後述する。
【００６２】
「ランク選別機能」（設定値００２）は、被計量物の重量が、予め設定された複数のランク（重量の範囲）のうち、どのランクに含まれるかを液晶表示部１５に表示させる機能である。
【００６３】
このように、項目０１（「機能の選択」）においては、上述の設定値００１及び設定値００２、並びにその他の設定値に、それぞれ異なる機能が割り当てられている。
【００６４】
「下限値通常設定」（項目０２）は、上述の「チェッカ機能」で用いられる下限値ＬＬを設定するための項目である。項目０２の設定値は、下限値ＬＬの値として記憶される。
【００６５】
具体的には、作業者は、項目０２を示す表示を液晶表示部１５に表示させた状態で、第三操作キー１４ｃ又は第四操作キー１４ｄの押し込み操作を繰り返すことで、液晶表示部１５に表示された設定値を増加又は減少させ、所望の値に変更する。設定値が所望の値になった場合、作業者は操作キー群１４を用いて所定の決定操作を行う。当該決定操作が行われると、制御部３３は、液晶表示部１５に表示された設定値を下限値ＬＬの値として記憶する。この際、制御部３３は、下限値ＬＬを記憶部３３ａのＥＥＰＲＯＭ等の不揮発性メモリに記憶する。このため、計量装置１の電源が切られたとしても、当該下限値ＬＬの設定（記憶）が消去されることはない。
【００６６】
「上限値通常設定」（項目０３）は、上述の「チェッカ機能」で用いられる上限値ＵＬを設定するための項目である。項目０３の設定値は、上限値ＵＬの値として記憶される。
【００６７】
具体的には、作業者は、項目０３を示す表示を液晶表示部１５に表示させた状態で、第三操作キー１４ｃ又は第四操作キー１４ｄの押し込み操作を繰り返すことで、液晶表示部１５に表示された設定値を増加又は減少させ、所望の値に変更する。設定値が所望の値になった場合、作業者は操作キー群１４を用いて所定の決定操作を行う。当該決定操作が行われると、制御部３３は、液晶表示部１５に表示された設定値を上限値ＵＬの値として記憶する。この際、制御部３３は、上限値ＵＬを記憶部３３ａのＥＥＰＲＯＭ等の不揮発性メモリに記憶する。このため、計量装置１の電源が切られたとしても、当該上限値ＵＬの設定（記憶）が消去されることはない。
【００６８】
ここで、上述の項目０２及び項目０３で説明したように、下限値ＬＬ及び上限値ＵＬを第三操作キー１４ｃ又は第四操作キー１４ｄの押し込み操作を繰り返すことでそれぞれ設定する方法を、以下では「上下限値通常設定」と称する。
これに対して、後述するように、所定の操作で下限値ＬＬを設定することで、自動的に上限値ＵＬを設定する方法を、以下では、「上下限値簡単設定」と称する。
【００６９】
「上下限値簡単設定方法変更」（項目０４）は、上下限値簡単設定を用いて上限値ＵＬを設定する際の、当該上限値ＵＬの算出方法を変更するための項目である。項目０４の設定値（設定値００１及び設定値００２）には、上限値ＵＬの算出方法がそれぞれ割り当てられている。具体的には、設定値００１には「割合」を用いた算出方法、設定値００２には「目量数」を用いた算出方法がそれぞれ割り当てられている。
【００７０】
「割合」を用いた算出方法（設定値００１）は、下限値ＬＬを基準として、当該下限値ＬＬを所定の割合Ｒだけ増加させた値を上限値ＵＬとして設定する方法である。本実施形態においては、割合Ｒは百分率（％）で表されるものとする。また本実施形態においては、割合Ｒの取り得る値は「５＜割合Ｒ＜１００」に設定されると共に、上限値ＵＬは、「上限値ＵＬ＝下限値ＬＬ×（１００＋割合Ｒ）」の数式を用いて算出されるものとする。このようにして求められた上限値ＵＬは、下限値ＬＬを割合Ｒ（％）だけ増加させた値になる。
【００７１】
「目量数」を用いた算出方法（設定値００２）は、下限値ＬＬを基準として、当該下限値ＬＬに所定の目量数Ｓ（すなわち、所定の重量）を加算した値を上限値ＵＬとして設定する方法である。本実施形態においては、目量数Ｓの取り得る値は「１０＜目量数Ｓ＜３００」に設定されると共に、上限値ＵＬは、「上限値ＵＬ＝下限値ＬＬ＋目量数Ｓ」の数式を用いて算出されるものとする。このようにして求められた上限値ＵＬは、下限値ＬＬを目量数Ｓだけ増加させた値になる。
【００７２】
「上下限値簡単設定の割合変更」（項目０５）は、上述の割合Ｒの値を変更するための項目である。項目０５の設定値は、割合Ｒの値として記憶される。
【００７３】
具体的には、作業者は、項目０５を示す表示を液晶表示部１５に表示させた状態で、第三操作キー１４ｃ又は第四操作キー１４ｄの押し込み操作を繰り返すことで、液晶表示部１５に表示された設定値を増加又は減少させ、所望の値に変更する。設定値が所望の値になった場合、作業者は操作キー群１４を用いて所定の決定操作を行う。当該決定操作が行われると、制御部３３は、液晶表示部１５に表示された設定値を割合Ｒの値として記憶する。
【００７４】
「上下限値簡単設定の目量数変更」（項目０６）は、上述の目量数Ｓの値を変更するための項目である。項目０６の設定値は、目量数Ｓの値として記憶される。
【００７５】
具体的には、作業者は、項目０６を示す表示を液晶表示部１５に表示させた状態で、第三操作キー１４ｃ又は第四操作キー１４ｄの押し込み操作を繰り返すことで、液晶表示部１５に表示された設定値を増加又は減少させ、所望の値に変更する。設定値が所望の値になった場合、作業者は操作キー群１４を用いて所定の決定操作を行う。当該決定操作が行われると、制御部３３は、液晶表示部１５に表示された設定値を目量数Ｓの値として記憶する。
【００７６】
次に、図４及び図５を用いて、上下限値簡単設定の手順について具体的に説明する。
【００７７】
上下限値簡単設定を行う前提として、作業者は、「設定モード」の項目０５及び項目０６において、予め割合Ｒ及び目量数Ｓの値を設定しておく。また、作業者は、「設定モード」の項目０４において、「割合」を用いた算出方法（設定値００１）又は「目量数」を用いた算出方法（設定値００２）のいずれか一方を選択しておく。
【００７８】
以下の説明では、作業者は、「設定モード」の項目０４において「割合」を用いた算出方法（設定値００１）を選択すると共に、項目０５において割合Ｒの値として「１０（％）」を設定しているものとする。
【００７９】
図５のステップＳ１１０において、作業者は、「計量モード」に切り替えられた計量装置１の計量皿２０に、被計量物を載置する。この際作業者は、液晶表示部１５に表示される被計量物の重量が、下限値ＬＬとして設定したい値になるように、計量皿２０に載置される被計量物の量を調節する。例えば、下限値ＬＬの値として「１００（ｇ）」を設定したい場合には、液晶表示部１５に「１００（ｇ）」と表示されるように、作業者は被計量物の量を調節する。
【００８０】
次に、ステップＳ１２０において、作業者は、第二操作キー１４ｂを１回押し込み操作する。
【００８１】
ここで、上述の如く、計量皿２０に何も載置されていない状態で第二操作キー１４ｂが押し込み操作されると、液晶表示部１５に表示される情報が切り替えられる。しかし、計量皿２０に被計量物が載置されている状態では、第二操作キー１４ｂが押し込み操作されても、液晶表示部１５に表示される情報が切り替えられることはない。
【００８２】
なお、計量皿２０に何も載置されていない状態であるか否かは、制御部３３によって算出された重量に基づいて判別することができる。具体的には、制御部３３は、算出された重量が０（又は、０に近い値）である場合には、計量皿２０に何も載置されていない状態であると判別する。また、制御部３３は、算出された重量が０ではない（又は、０よりも所定値以上大きい）場合には、計量皿２０に何かが載置されている状態であると判別する。
【００８３】
次に、ステップＳ１３０において、制御部３３は、第二操作キー１４ｂの操作信号を受信した時点で算出されている重量（この例では、「１００（ｇ）」）を、下限値ＬＬの値として設定する。この際、制御部３３は、下限値ＬＬを記憶部３３ａのＲＡＭ等の揮発性メモリに記憶する。このため、計量装置１の電源が切られると、当該下限値ＬＬの設定（記憶）は消去される。
【００８４】
次に、ステップＳ１４０において、制御部３３は、下限値ＬＬを基準として上限値ＵＬを設定する。具体的には、制御部３３は、下限値ＬＬを１０（％）だけ増加させた値、すなわち１１０（ｇ）を上限値ＵＬの値として設定する。
【００８５】
以上のように、上下限値簡単設定においては、作業者は、第二操作キー１４ｂを１回だけ押し込み操作するだけで、計量皿２０に載置された被計量物の重量を下限値ＬＬとして設定することができる。また、下限値ＬＬが設定されると、自動的に上限値ＵＬも設定される。
【００８６】
このようにして、下限値ＬＬ及び上限値ＵＬが設定された後に、「設定モード」の項目０１において設定値００１（「チェッカ機能」）を選択することで、設定された下限値ＬＬ及び上限値ＵＬを用いた「チェッカ機能」を実行することができる。
【００８７】
なお、ステップＳ１１０において計量皿２０に載置される被計量物は、「チェッカ機能」を用いて計量が行われる被計量物とは異なる物であっても良い。例えば、「チェッカ機能」を用いて食品の計量を行う場合であっても、ステップＳ１１０（下限値ＬＬを設定する際）では分銅など前記食品とは異なる物（被計量物）を用いて下限値ＬＬを設定することが可能である。
【００８８】
なお、上述の説明では、作業者は、「設定モード」の項目０４において「割合」を用いた算出方法（設定値００１）を選択しているものとしたが、作業者が「目量数」を用いた算出方法（設定値００２）を選択した場合も同様の操作で下限値ＬＬ及び上限値ＵＬを設定することができる。
【００８９】
例えば、項目０６において、目量数Ｓの値として「１０（ｇ）」が設定されている場合、ステップＳ１３０で下限値ＬＬの値として「１００（ｇ）」が設定されると、制御部３３はステップＳ１４０において、下限値ＬＬを１０（ｇ）だけ増加させた値、すなわち１１０（ｇ）を上限値ＵＬとして設定する。
【００９０】
このように、上下限値簡単設定においては、少ない操作回数（具体的には、第二操作キー１４ｂを１回押し込み操作するだけ）で、下限値ＬＬ及び上限値ＵＬの値を設定することができる。すなわち、上下限値通常設定においては、第三操作キー１４ｃ及び第四操作キー１４ｄを繰り返し押し込み操作して下限値ＬＬ及び上限値ＵＬの値をそれぞれ設定する必要があり、操作が煩雑であるのに対し、上下限値簡単設定は操作が簡単である。
【００９１】
なお、本実施形態に係る下限値ＬＬは、本発明に係る第１基準重量値の一実施形態である。また、本実施形態に係る上限値ＵＬは、本発明に係る第２基準重量値の一実施形態である。
【００９２】
また、本実施形態に係る割合Ｒは、本発明に係る所定の演算値および所定の割合の一実施形態である。また、本実施形態に係る目量数Ｓは、本発明に係る所定の演算値および所定の値の一実施形態である。
【００９３】
また、本実施形態に係る第二操作キー１４ｂの１回押し込み操作は、本発明に係る所定の第１操作の一実施形態である。また、本実施形態に係る第三操作キー１４ｃおよび第四操作キー１４ｄの押し込み操作は、本発明に係る所定の第２操作の一実施形態である。
【００９４】
上述の通り、本実施形態に係る計量装置１は、被計量物の重量を計量する計量部（制御部３３）と、第１基準重量値（下限値ＬＬ）および第１基準重量値とは異なる第２基準重量値（上限値ＵＬ）を設定する設定部（制御部３３）と、所定の演算値（所定の割合Ｒまたは所定の目量数Ｓ）を記憶する記憶部３３ａとを備える。
【００９５】
また、計量部（制御部３３）で計量された計量値を第１基準重量値（下限値ＬＬ）として設定するとともに、第１基準重量値（下限値ＬＬ）と前記所定の演算値（所定の割合Ｒまたは所定の目量数Ｓ）とに基づいて第２基準重量値（上限値ＵＬ）を設定する。
【００９６】
さらに、計量値を報知する報知部（液晶表示部１５）と、作業者により操作される操作部（操作キー群１４）とを備え、計量値が報知部（液晶表示部１５）により報知（表示）されている状態で、作業者が、操作部（操作キー群１４）により所定の第１操作（第二操作キー１４ｂの１回押し込み操作）を行った場合、計量値を第１基準重量値（下限値ＬＬ）として設定する。
【００９７】
このように構成することにより、下限値ＬＬ及び上限値ＵＬを容易に設定することができる。すなわち、下限値ＬＬを設定すると、当該下限値ＬＬを基準として上限値ＵＬが自動的に設定されるため、下限値ＬＬ及び上限値ＵＬを設定するための作業者の操作回数を削減することができる。これによって、操作の効率化を図るために、新たな操作キー（例えば、数値を入力するためのテンキー等）を増設する必要がなくなる。
【００９８】
また、所定の演算値（所定の割合Ｒ）は、第１基準重量値（下限値ＬＬ）を所定の割合だけ増加又は減少させるための値である。
【００９９】
このように構成することにより、上限値ＵＬを適度な値になるように設定することができる。すなわち、下限値ＬＬの値に応じて当該下限値ＬＬと上限値ＵＬとの差（すなわち、適量範囲）を決定することができる。
【０１００】
また、所定の演算値（所定の目量数Ｓ）は、第１基準重量値に所定の値を加算又は減算るするための値である。
【０１０１】
このように構成することにより、上限値ＵＬを適度な値になるように設定することができる。すなわち、下限値ＬＬの値にかかわらず、当該下限値ＬＬと上限値ＵＬとの差（すなわち、適量範囲）を決定することができる。
【０１０２】
また、下限値ＬＬは、上限値ＵＬよりも小さい値になるように設定されるものである。
【０１０３】
このように構成することにより、下限値ＬＬが所望の値になるように正確に設定することができる。すなわち、下限値ＬＬを、作業者の所望の値になるように被計量物を用いて正確に設定することができる。また、下限値ＬＬを正確に設定することができるため、当該下限値ＬＬの計量ミスを防止することができ、特に被計量物の下限値ＬＬが規格等によって定められている場合に好適である。
【０１０４】
なお、本発明に係る計量装置の構成は、本実施形態に係る計量装置１に限るものではない。例えば、計量皿２０は被計量物を保持することができればよく、その形状や大きさは任意に変更することが可能である。また、ロードセル１３は計量皿２０に加わる荷重を検出することができればよく、その構成は任意に変更することが可能である。
【０１０５】
また、本発明に係る第一操作部は、本実施形態に係る第二操作キー１４ｂに限るものではない。例えば、操作キー群１４に含まれるその他の操作キー（例えば、第一操作キー１４ａ等）であっても良い。また、第一操作部は、押し込み操作可能なものに限らず、例えばタッチパネルや各種のスイッチ等であっても良い。
【０１０６】
また、本実施形態においては、下限値ＬＬが設定されると、当該下限値ＬＬに基づいて上限値ＵＬが自動的に設定されるものとしたが、本発明はこれに限るものではない。例えば、上限値ＵＬが設定されると、当該上限値ＵＬに基づいて下限値ＬＬが自動的に設定される構成とすることも可能である。この場合、上限値ＵＬが本発明に係る第一基準値、下限値ＬＬが本発明に係る第二基準値にそれぞれ対応する。またこの場合、上限値ＵＬを割合Ｒだけ減少させた値、又は上限値ＵＬに目量数Ｓを減算した値を下限値ＬＬとすることができる。
【０１０７】
また、本実施形態においては、下限値ＬＬを設定する際に操作される第二操作キー１４ｂは、他の用途（液晶表示部１５に表示される情報を切り替える用途）にも使用するものとしたが、本発明はこれに限るものではない。すなわち、第二操作キー１４ｂとは別に、下限値ＬＬを設定する際に操作される操作キーを設けることも可能である。
【０１０８】
また、上下限値通常設定によって設定される下限値ＬＬ及び上限値ＵＬは、それぞれ複数設定する構成とすることも可能である。例えば、被計量物の種類（品種等）毎に下限値ＬＬ及び上限値ＵＬを設定しておくことで、１つの計量装置１で複数種類の被計量物を計量する際の作業効率を向上させることができる。
【０１０９】
以下では、図６を用いて、第二実施形態に係る計量装置１について説明する。
【０１１０】
なお、第二実施形態に係る計量装置１が第一実施形態に係る計量装置１と主に異なる点は、上下限値簡単設定の手順である。具体的には、第二実施形態においては、第一実施形態に係るステップＳ１３０（図５参照）の手順に代えて、ステップＳ１３１からステップＳ１３４まで（図６参照）の手順で上下限値簡単設定が行われる。以下、具体的に説明する。
【０１１１】
図６のステップＳ１１０において、作業者は、「計量モード」に切り替えられた計量装置１の計量皿２０に、被計量物を載置する。この際作業者は、液晶表示部１５に表示される被計量物の重量が、下限値ＬＬとして設定したい値に近い値となるように、計量皿２０に載置される被計量物の量を調節する。例えば、下限値ＬＬの値として「１００（ｇ）」を設定したい場合には、液晶表示部１５に「１００（ｇ）」近い値が表示されるように、作業者は被計量物の量を調節する。本説明では、例えば液晶表示部１５に「１０５（ｇ）」と表示されるように、被計量物を計量皿２０に載置するものとする。
【０１１２】
次に、ステップＳ１２０において、作業者は、第二操作キー１４ｂを１回押し込み操作する。
【０１１３】
次に、ステップＳ１３１において、制御部３３は、第二操作キー１４ｂの操作信号を受信した時点で算出されている重量（この例では、「１０５（ｇ）」）を、下限値ＬＬの値として一時的に記憶する。制御部３３は、当該下限値ＬＬを液晶表示部１５に表示させる。
【０１１４】
次に、ステップＳ１３２において、作業者は、第三操作キー１４ｃ又は第四操作キー１４ｄの押し込み操作を繰り返すことで、液晶表示部１５に表示された下限値ＬＬを増加又は減少させ、所望の値（すなわち、下限値ＬＬとして設定したい値）に変更する。この例では、作業者は、第四操作キー１４ｄを複数回押し込み操作することで、液晶表示部１５に「１００（ｇ）」と表示させる。
【０１１５】
次に、ステップＳ１３３において、作業者は、第二操作キー１４ｂを１回押し込み操作する。
【０１１６】
次に、ステップＳ１３４において、制御部３３は、第二操作キー１４ｂの操作信号を受信した時点で液晶表示部１５に表示されている重量（この例では、「１００（ｇ）」）を、下限値ＬＬとして設定する。
【０１１７】
次に、ステップＳ１４０において、制御部３３は、下限値ＬＬを基準として上限値ＵＬを設定する。
【０１１８】
以上のように、第二実施形態における上下限値簡単設定においては、作業者は、計量皿２０に載置される被計量物の量を調節するだけではなく、第三操作キー１４ｃ及び第四操作キー１４ｄも用いて、下限値ＬＬの値を設定することができる。このように、第三操作キー１４ｃ及び第四操作キー１４ｄを用いることによって、被計量物の量が調節し難い場合（例えば、被計量物の１つ１つが大きな塊であり、重量の微調整が困難な場合等）であっても、下限値ＬＬが所望の値になるように正確に設定することができる。
【０１１９】
上述の通り、本実施形態に係る計量装置１は、計量値が報知部（液晶表示部１５）により報知（表示）されている状態で、作業者が、所定の第１操作（第二操作キー１４ｂの１回押し込み操作）を行う前に、操作部により所定の第２操作（第三操作キー１４ｃおよび第四操作キー１４ｄの押し込み操作）を行った場合、所定の第２操作に基づいて計量値を変更するとともに、作業者が、所定の第２操作の後に、所定の第１操作（第二操作キー１４ｂの１回押し込み操作）を行った場合、変更された計量値を第１基準重量値（下限値ＬＬ）として設定する。
【０１２０】
このように構成することにより、必要に応じて下限値ＬＬの微調整を行うことができる。これによって、下限値ＬＬを所望の値になるように正確に設定することができる。
【０１２１】
なお、本発明に係る第二操作部は、本実施形態に係る第三操作キー１４ｃ及び第四操作キー１４ｄに限るものではない。すなわち、第二操作部は押し込み操作可能なものに限らず、例えばジョグダイヤル、タッチセンサ式のホイール、十字形のカーソルキー等、値（数値）の変更操作が行い易いものを用いても良い。
【０１２２】
以下では、第三実施形態に係る計量装置１について説明する。
【０１２３】
なお、第三実施形態に係る計量装置１が第一実施形態に係る計量装置１と主に異なる点は、上下限値簡単設定によって設定された下限値ＬＬが、ＲＡＭ等の揮発性メモリではなく、ＥＥＰＲＯＭ等の不揮発性メモリに記憶される点である。
【０１２４】
具体的には、図５に示すステップＳ１３０において、制御部３３は、下限値ＬＬを記憶部３３ａのＥＥＰＲＯＭ等の不揮発性メモリに記憶する。このため、計量装置１の電源が切られたとしても、当該下限値ＬＬの設定（記憶）が消去されることはない。
【０１２５】
このように構成された第三実施形態に係る計量装置１においては、一度電源が切られたとしても下限値ＬＬの設定は消去されずに残っているため、再度電源を入れれば下限値ＬＬ及び上限値ＵＬの設定を行うことなく「チェッカ機能」を実行することができる。
【０１２６】
また、制御部３３は、下限値ＬＬの設定が残っている状態で割合Ｒや目量数Ｓが変更（図４の項目０５及び項目０６参照）された場合、当該割合Ｒや目量数Ｓに基づいて上限値ＵＬを再度算出し直す。
【０１２７】
このように、作業者は、下限値ＬＬはそのままで上限値ＵＬだけを変更したい場合には、割合Ｒや目量数Ｓを変更することで、上限値ＵＬを当該割合Ｒや目量数Ｓに応じた値に変更することができる。これによって、下限値ＬＬを変更する必要がない（規格等により定められている）被計量物を計量する際の、上限値ＵＬの設定作業の効率を向上させることができる。
【０１２８】
なお、第三実施形態に係る計量装置１においては、下限値ＬＬは必ずＥＥＰＲＯＭ等の不揮発性メモリに記憶されるものとしたが、本発明はこれに限るものではない。例えば、操作キー群１４を用いて所定の操作が行われた場合にのみ、下限値ＬＬを不揮発性メモリに記憶する構成とすることも可能である。
【０１２９】
以上の如く、上記各実施形態に係る計量装置１は、割合Ｒの値を変更可能な制御部３３（第一変更部）を具備するものである。
このように構成することにより、下限値ＬＬに対する上限値ＵＬの値を任意に変更することができる。
【０１３０】
また、上記各実施形態に係る計量装置１は、目量数Ｓの値を変更可能な制御部３３（第二変更部）を具備するものである。
このように構成することにより、下限値ＬＬに対する上限値ＵＬの値を任意に変更することができる。
【０１３１】
また、第三実施形態に係る計量装置１は、設定された下限値ＬＬを記憶する制御部３３（基準値記憶部）と、制御部３３に下限値ＬＬが記憶された後で、割合Ｒ（又は目量数Ｓ）の値が変更された場合、上限値ＵＬの値を算出（設定）し直す制御部３３（再設定部）と、を具備するものである。
このように構成することにより、下限値ＬＬの値はそのままで上限値ＵＬの値だけを変更して被計量物を計量する場合の作業効率を向上させることができる。
【０１３２】
また、上記各実施形態に係る制御部３３は、被計量物が計量皿２０に保持されていない状態で第二操作キー１４ｂが操作された場合、下限値ＬＬを設定することなく、所定の制御を行う（液晶表示部１５に表示される情報を切り替える）ものである。
このように構成することにより、操作キーの個数を削減することができる。すなわち、下限値ＬＬを設定するための操作キー（第二操作キー１４ｂ）を、他の用途（液晶表示部１５に表示される情報を切り替える用途）にも使用することができるため、操作キーの個数を削減することができる。また、操作キーの個数の増加に伴う操作の複雑化を防止することができる。
【符号の説明】
【０１３３】
１      計量装置
１０    本体部
１３    ロードセル
１４    操作キー群
１４ｂ  第二操作キー
１４ｄ  第四操作キー
１５    液晶表示部
１６    ＬＥＤ表示部
２０    計量皿
３３    制御部
【図１】
0006537289.tif 000002
【図２】
0006537289.tif 000003
【図３】
0006537289.tif 000004
【図４】
0006537289.tif 000005
【図５】
0006537289.tif 000006
【図６】
0006537289.tif 000007